(57)【要約】      （修正有）【課題】容器の再利用を容易化したシェーカー容器と、このシェーカー容器を用いたシェーカー装置を提供する。【解決手段】容器本体内２に液体と圧力ガスを封入し、容器本体２の頭部にヘッド部６を備えたシェーカー容器１において、容器本体２の底部に連通孔を形成し、この連通孔に、ソケット１１及びプラグを着脱可能に設けてなる接続継手の当該ソケット１１を固着し、接続継手のプラグは、ガス開閉具が装着されたチューブの一方の端部に設けられ、チューブの他方の端部は、圧力ガスを供給するガスボンベに接続されるシェーカー容器１。シェーカー容器１と、ガスボンベとの間に、チューブの両端部を各々着脱可能に設けてなるシェーカー装置。【選択図】図１
0003202068.tif 000002
【実用新案登録請求の範囲】
【請求項１】
容器本体内２に液体と圧力ガスを封入し、容器本体２の頭部３にヘッド部６を備えたシェーカー容器１において、
容器本体２の底部４に連通孔５を形成し、この連通孔５に、ソケット１１及びプラグ１２を着脱可能に設けてなる接続継手１０の当該ソケット１１を固着し、
接続継手１０のプラグ１２は、ガス開閉具２１が装着されたチューブ２０の一方の端部に設けられ、
チューブ２０の他方の端部は、圧力ガスを供給するガスボンベＧに接続されるものであることを特徴とするシェーカー容器１。
【請求項２】
ヘッド部６は、容器本体２に着脱可能に設けられていることを特徴とする請求項１記載のシェーカー容器１。
【請求項３】
ヘッド部６にスプレーボタン７とノズル８が備えられていることを特徴とする請求項２記載のシェーカー容器１。
【請求項４】
接続継手１０は、ソケット１１にプラグ１２を挿入すると、このソケット１１及びプラグ１２がロックすると同時に流路を開いて流体が流れるように構成されるものであり、プラグ１２は、ガス開閉具２１が装着されたチューブ２０を介して圧力ガスのガスボンベＧに連通されるものであることを特徴とする請求項１記載のシェーカー容器１。
【請求項５】
請求項１記載のシェーカー容器１と、ガス開閉具２１が装着されたチューブ２０と、圧力ガスのガスボンベＧとから構成され、シェーカー容器１と、ガスボンベＧとの間に、チューブ２０の両端部を各々着脱可能に設けてなることを特徴とするシェーカー装置１００。
【考案の詳細な説明】
【技術分野】
【０００１】
本考案は、容器本体内に液体と圧力ガスを注入し、前記容器本体の一端にヘッド部を備えたシェーカー容器と、このシェーカー容器を用いるとともに当該容器内に圧力ガスを注入するためのガスボンベと連結チューブを備えたシェーカー装置に関する。
【背景技術】
【０００２】
従来、スプレー容器内に飲料用液体が注入され、炭酸ガスなどの圧力（推進）ガスを注入して持ち運びに供されるもの（特許文献１）や、その他、持ち運び可能なものであって推進ガスにより噴霧されるスプレー容器は、食品分野、化学品分野、化粧品分野、薬品分野、殺虫剤分野、クリーニング分野などで使用されていることが知られている（特許文献２）。
【０００３】
また、美容院などでは、炭酸水、酸素水、美容液を生成するシェーカーが用いられている。これは、例えばペットボトルなどの容器内に水や美容液を注入し、炭酸ガスボンベなどから容器内に圧力ガスを注入して内圧を高め、容器をシェイクして（振って）、炭酸水や炭酸美容液などを生成するものが知られている。
【先行技術文献】
【特許文献】
【０００４】
【特許文献１】登録実用新案第３０３９１８７号公報
【特許文献２】特開平８−２５７１２２号公報
【考案の概要】
【考案が解決しようとする課題】
【０００５】
従来のスプレー容器やシェーカー（以下、単に「シェーカー」という。）は、容器内の液体や圧力ガスが消滅すると再利用することができないので廃棄される。すなわち、容器内の液体が消滅した場合、容器の廃棄を回避しようとして容器内に液体を再充填するには、ヘッド部を取り外さなければならないが、ヘッド部を取り外せば、残存している内部の圧力ガスが抜けてしまう。そのため、そのシェーカー容器の再利用は困難である。
【０００６】
他方、容器内の推進ガスが消滅した場合、残存する液体とともにシェーカー容器を再利用するには、別途に圧力ガスを注入しなければならない。そしてこの注入はヘッド部から行うこととなるため、通常は注入用の器具や装備がなければ圧力ガスの注入は行えない。そのため、容器内の液体が消滅した場合と同様に、一般の使用者にとって、シェーカー容器の再利用は極めて困難である。
【０００７】
本考案は、上記事情に鑑みてなされたもので、容器の再利用を容易化したシェーカー容器と、このシェーカー容器を用いたシェーカー装置を提供するものである。
【課題を解決するための手段】
【０００８】
本願第１請求項に記載した考案は、実施例で用いた符号を付して記すと、容器本体内２に液体と圧力ガスを封入し、容器本体２の頭部３にヘッド部６を備えたシェーカー容器１において、
容器本体２の底部４に連通孔５を形成し、この連通孔５に、ソケット１１及びプラグ１２を着脱可能に設けてなる接続継手１０の当該ソケット１１を固着し、
接続継手１０のプラグ１２は、ガス開閉具２１が装着されたチューブ２０の一方の端部に設けられ、
チューブ２０の他方の端部は、圧力ガスを供給するガスボンベＧに接続されるものであることを特徴とするシェーカー容器１である。
【０００９】
本願第２請求項に記載した考案は、請求項１において、ヘッド部６は、容器本体２に着脱可能に設けられていることを特徴とするシェーカー容器１である。
【００１０】
本願第３請求項に記載した考案は、請求項２において、ヘッド部６にスプレーボタン７とノズル８が備えられていることを特徴とするシェーカー容器１である。
【００１１】
本願第４請求項に記載した考案は、請求項１において、接続継手１０は、ソケット１１にプラグ１２を挿入すると、このソケット１１及びプラグ１２がロックすると同時に流路を開いて流体が流れるように構成されるものであり、プラグ１２は、ガス開閉具２１が装着されたチューブ２０を介して圧力ガスのガスボンベＧに連通されるものであることを特徴とするシェーカー容器１である。
【００１２】
本願第５請求項に記載した考案は、請求項１記載のシェーカー容器１と、ガス開閉具２１が装着されたチューブ２０と、圧力ガスのガスボンベＧとから構成され、シェーカー容器１と、ガスボンベＧとの間に、チューブ２０の両端部を各々着脱可能に設けてなることを特徴とするシェーカー装置１００である。
【考案の効果】
【００１３】
本考案によれば、容器の再利用を容易化したシェーカー容器と、このシェーカー容器を用いたシェーカー装置を得ることができる。このように、本考案は、容器を何回も再利用できるとともに、炭酸水や炭酸美容液などを何回でも容易に作成できるシェーカー容器とシェーカー装置を得ることができるものである。
【図面の簡単な説明】
【００１４】
【図１】本考案の実施例に係り、シェーカー容器の正面図である。
【図２】本考案の実施例に係り、シェーカー容器の上部の正面図である。
【図３】本考案の実施例に係り、シェーカー容器の下部の正面図である。
【図４】本考案の実施例に係り、シェーカー容器の下部における要部縦断面図である。
【図５】本考案の実施例に係り、シェーカー容器からヘッド部を取り外した状態を示す斜視図である。
【図６】本考案の実施例に係り、シェーカー容器からチューブを取り外した状態を示す正面図である。
【図７】本考案の実施例に係り、シェーカー容器からチューブを取り外した状態を示す正面図である。
【図８】本考案の実施例に係り、シェーカー容器にチューブを接続した状態を示す正面図である。
【図９】本考案の実施例に係り、本例のチューブにプラグおよびガス開閉具を装着した状態を示す図である。
【図１０】本考案の実施例に係り、シェーカー装置を示す外観図である。
【図１１】本考案の実施例に係り、シェーカー容器の下部における外観斜視図である。
【図１２】本考案の実施例に係り、シェーカー容器の下部における接続継手を示す正面図である。
【図１３】本考案の実施例に係り、シェーカー容器の下部において接続継手のプラグを取り外した状態を示す外観斜視図である。
【図１４】本考案の実施例に係り、接続継手のプラグからネジを取り外した状態を示す外観斜視図である。
【図１５】本考案の実施例に係り、接続継手のプラグにチューブを差込んだ状態を示す外観斜視図である。
【図１６】本考案の実施例に係り、接続継手のプラグにチューブを差込んだ状態を示す外観斜視図である。
【図１７】本考案の実施例に係り、接続継手のプラグにチューブを差込んでネジ止めした状態を示す外観斜視図である。
【図１８】本考案の実施例に係り、チューブを切断した状態を示す外観斜視図である。
【図１９】本考案の実施例に係り、切断したチューブの各端部をガス開閉具のボールバルブに差込んだ状態を示す外観斜視図である。
【図２０】本考案の実施例に係り、接続継手のプラグにガス開閉具を備えたチューブを差込んだ状態を示す外観斜視図である。
【考案を実施するための最良の形態】
【００１５】
以下に、本考案の実施例を図面（図１〜図２０）に基づいて説明する。
【００１６】
本例のシェーカー容器１は、容器本体内２に液体と圧力ガスを注入し、容器本体２の頭部にヘッド部６を備えたシェーカー容器である。
【００１７】
本例のシェーカー容器１は、従来のものと異なり、容器本体２の底部４に連通孔５が形成され、この連通孔５に、着脱可能に設けられたソケット１１及びプラグ１２からなる接続継手１０の当該ソケット１１が固着されている。
【００１８】
接続継手１０のプラグ１２は、ガス開閉具２１が装着されたチューブ２０の一方の端部に設けられ、また、チューブ２０の他方の端部は、圧力ガスを供給するガスボンベＧに接続される。
【００１９】
接続継手１０は、ソケット１１にプラグ１２を挿入すると、このソケット１１及びプラグ１２がロックすると同時に流路を開いて流体が流れるようにしたものである。
【００２０】
また、プラグ１２は、ガス開閉具２１が装着されたチューブ２０を介して、圧力ガスのガスボンベＧに連通されるものである。
【００２１】
更に詳述すると、シェーカー容器１の容器本体２は、中間に図示を省略した特殊樹脂（ガスが浸透しない樹脂）層と、内外に耐圧樹脂層を備えた三重構造になっており、本例の場合、約２９気圧まで耐えられる高圧用容器である。ちなみに、本例の容器本体２は、高圧用容器として用いられている耐圧ペットボトルの約３．６倍の強度を備えている。
【００２２】
本例のシェーカー容器１は、前述したように、容器本体２の底部４に連通孔５が形成され、この連通孔５に、接続継手１０のソケット１１が固着されている。図４に示すように、容器本体２の内部にソケット固定用ナット１３を配し、連通孔５との間にゴムパッキン１４を配し、また、容器本体２の外部に別途ゴムパッキン１４を配し、ソケット１１の先端ネジ部を、これらゴムパッキン１４、連通孔５、内部のゴムパッキン１４を挿通して、固定用ナット１３に螺合して固着している。尚、容器本体２の内部にソケット固定用ナット１３を入れる場合は、ヘッド部６を取り外して行う。
【００２３】
シェーカー容器１は、図５に示すように、容器本体２の頭部３にヘッド部６を着脱可能に取り付ける。ヘッド部６は、頭部３の開口部３ａを開閉可能としているものであって、ヘッド部６を取り外せば、この開口部３ａから容器本体２内に水や美容液などを注入することができ、また、開口部３ａから容器本体２内の水や美容液などを取り出すことができる。
【００２４】
尚、本例では、ヘッド部６にスプレーボタン７とノズル８を備えて、当該ヘッド部６はスプレーヘッドとしても用いられるように構成されている。すなわち、スプレーボタン７を押すと、ノズル８から充填液が圧力ガスにより吐出することができるように構成されている。
【００２５】
このように、シェーカー容器１と、ガス開閉具２１が装着されたチューブ２０と、圧力ガスのガスボンベＧとを組み合わせて用いた場合、シェーカー容器１と、ガスボンベＧとの間に、チューブ２０の両端部を各々着脱可能に設けることにより、シェーカー装置１００を構成することができる。図１０において、符号９は、シェーカースタンド、符号Ｒは、レギュレータである。
【００２６】
次に、シェーカー装置１００を用いてシェーカー容器１に圧力ガスを注入する構成例を説明する。
【００２７】
容器本体２の底部４に接続継手１０が設けられている図１１において、ソケット１１のガイドリング１１ａを、図１２に示すように、容器本体２とは反対の方向へスライドさせると、図１３に示すように、ロックが外れてブラグ１２がソケット１１から抜ける。
【００２８】
次いで、図１４に示すように、ブラグ１２からネジ１２ａを取り、図１５に示すように、チューブ２０にネジ１２ａを挿通して、チューブ先端をプラグ１２に差込む。図１６に示すように、チューブ先端をプラグ１２の根元までしっかり差込み、図１７に示すように、ネジ１２ａをプラグ１２に止める。
【００２９】
更に、図１８に示すように、３ｃｍぐらい残してカッターでチューブ２０を切り、図１９に示すように、切断したチューブ２０の各端部を、ガス開閉具２１のボールバルブ２１ａに差込む。これにより図２０に示すように、チューブ差込み口が完成する。
【００３０】
このようにして形成されたチューブ差込み口、すなわちプラグ１２を、図７に示すように、ソケット１１に近づけて、下方からソケット１１に挿入すれば、図８に示すように、プラグ１２がソケット１１に連結されて接続継手１０が形成される。
【００３１】
尚、この接続継手１０は、例えば本願の出願人が先に提案した特許第４８５６５３２号に記載された接続継手と同種のものを用いることができる。
【００３２】
そして、図５に示すように、容器本体２からヘッド部６を取り外しておいて、開口部３ａから例えば美容液を注入し、ヘッド部６を容器本体２の頭部３に堅固に螺着し、ガスボンベＧのバルブを開放するとともに、ガス開閉具２１を開放して、圧力ガスを容器本体２内へ注入する。
【００３３】
圧力ガスを容器本体２内へ注入した後に、ガスボンベＧのバルブを閉塞するとともに、ガス開閉具２１を閉じ、接続継手１０のソケット１１からブラグ１２を抜けば、適宜持ち運び可能な単体のシェーカー容器１が得られる。爾後、スプレーボタン７を押せば、ノズル８から美容液が噴射され、あるいは、シェーカー容器１をシェイクしてスプレーボタン７を押せば、ノズル８から炭酸ガスと美容液の混合液が噴射される。
【００３４】
本考案は、上述した実施例に限られるものではなく、圧力ガスに酸素や水素など適宜のものを用いることができる。このシェーカー容器に水素ガスのみを注入すれば、水素充填容器すなわち水素スプレー缶を得ることができ、したがって一般的に再利用可能なスプレー缶を構成することもできる。また、このスプレー缶に充填する液体も、水、美容液に限られるものではない。以上を要するに、本例における各部の構成は、実用新案登録請求の範囲に記載した技術的範囲において適宜に設計変更が可能であり、図例説明したものに限定されないことは言うまでもない。本考案の趣旨を実現する他の実施の態様にも及ぶものであることは勿論である。
【産業上の利用可能性】
【００３５】
本考案のシェーカー容器及びシェーカー装置は、例えば炭酸水、炭酸ジェルを安全且つ簡単に製造できるスプレー缶として好適に利用することができるものである。
【符号の説明】
【００３６】
１    シェーカー容器
２    容器本体２
３    頭部
３ａ    開口部
４    底部
５    連通孔
６    ヘッド部
７    スプレーボタン
８    ノズル
９    シェーカースタンド
１０    接続継手
１１    ソケット
１１ａ    ガイドリング
１２    ブラグ
１２ａ    ネジ
１３    ソケット固定用ナット
１４    ゴムパッキン
２０    チューブ
２１    ガス開閉具
２１ａ    ボールバルブ
１００    シェーカー装置
Ｇ    ガスボンベ
Ｒ    レギュレータ
【図１】
0003202068.tif 000003
【図２】
0003202068.tif 000004
【図３】
0003202068.tif 000005
【図４】
0003202068.tif 000006
【図５】
0003202068.tif 000007
【図６】
0003202068.tif 000008
【図７】
0003202068.tif 000009
【図８】
0003202068.tif 000010
【図９】
0003202068.tif 000011
【図１０】
0003202068.tif 000012
【図１１】
0003202068.tif 000013
【図１２】
0003202068.tif 000014
【図１３】
0003202068.tif 000015
【図１４】
0003202068.tif 000016
【図１５】
0003202068.tif 000017
【図１６】
0003202068.tif 000018
【図１７】
0003202068.tif 000019
【図１８】
0003202068.tif 000020
【図１９】
0003202068.tif 000021
【図２０】
0003202068.tif 000022